(57)【特許請求の範囲】
【請求項１】
塗布液が流動する流管と、底部に横長の凹陥部を有する基部と、横長の前後面部と横長の底部と横長の前後面部より短い両側部とから構成された横長の箱型の溝部とを備え、横長の箱型の溝部は、横長の底部に長手方向へ形成された塗布液を下方側へ分流する複数の排出口を有し、また横長の前後面部に外側へ突出する突片を有し、凹陥部の内側面に圧接される突片を介して箱型の溝部を凹陥部に嵌着したとき、横長の前後面部より短い溝部の両側部において溝部の底部から水平方向へ連設された爪部が凹陥部より浅く形成された凹部の支持面に係止され、溝部の底部と基部の底部とが面一となり溝部の底部が基部の底部の一部を構成するとともに、凹部の支持面に係止された爪部に対する少なくとも指先による持ち上げを可能とする隙間が凹部の支持面の水平方向に形成され、横長の前後面部より短い溝部の両側部側から爪部を介して凹陥部に嵌着された溝部を持ち上げるとともに、凹陥部から取り外し自在とした塗布器具。
【請求項２】
前記塗布液がワックスである請求項１に記載の塗布器具。
【請求項３】
前記溝部に通じる連通口を有する継手部と、前記継手部を囲む外周壁とを備え、前記流管の下端部を前記継手部に装着するとともに、外周壁により保護してなる請求項１又は２に記載の塗布器具
【請求項４】
前記外周壁の上端と継手部の上端を同じ高さかあるいは前記外周壁の上端を継手部の上端よりやや高くした請求項３に記載の塗布器具。
【請求項５】
モップ部が装着材を介して基部の底部に着脱可能に取り付けられる請求項３に記載の塗布器具。
【請求項６】
溝部の底部の排出口から分散して流下する塗布液が基部の底部とモップ部との間に拡散するとともに、モップ部に浸透して床面に塗布される請求項５に記載の塗布器具。
【発明の詳細な説明】
【０００１】
【発明の属する技術分野】
本発明は、床面などの被塗布面に塗布液を塗布する塗布器具にかんする。
【０００２】
【従来の技術】
従来、塗布液の塗布器具としては、タンクの塗布液を基部に連結された流管を通して基部に導き、塗布液が基部の底部に取着されたモップ部に浸透あるいは流下し、モップ部３から床面などに塗布するものが知られている（特開平１１−１９７０８１）。しかしながら基部内に残留した塗布液の一部が固化し、基部内に付着したような場合、固着物の除去が困難であり、塗布液の円滑な流動を阻害するおそれがあった。また塗布器具は随時に清掃をするのが望ましいが、基部内の清掃は困難であった。
【０００３】
【発明が解決しようとする課題】
本発明は、このような欠点の解消を解決課題としており、基部内の塗布液の固着物を除去し、また基部内の清掃を可能にした塗布液の塗布器具を提供する。また基部に連結された塗布液の流管、特に流管と基部との装着部分を保護し、塗布液の流動を阻害しないとともに、耐久性にすぐれた塗布液の塗布器具を提供する。
【０００４】
上記課題を解決するため本発明にかかる塗布器具は次のような手段を採用する。すなわち、塗布液が流動する流管と、底部に横長の凹陥部を有する基部と、横長の前後面部と横長の底部と横長の前後面部より短い両側部とから構成された横長で箱型の溝部とを備え、塗布液が流動する溝部は横長の底部において長手方向に形成された塗布液を下方側へ分流する複数の排出口と横長の前後面部において外側へ突出する突片を有し、凹陥部の内側面に圧接される突片を介して箱型の溝部が凹陥部に嵌着されたとき、横長の前後面部より短い溝部の両側部において溝部の底部から水平方向へ連設された爪部が凹陥部より浅く形成された凹部の支持面に係止され、かつ溝部の底部と基部の底部が面一となり溝部の底部が基部の底部の一部を構成するとともに、凹部の支持面に係止された爪部に対する少なくとも指先による持ち上げを可能とする隙間が凹部の支持面の水平方向に形成され、横長の前後面部より短い溝部の両側部側から爪部を介して凹陥部に嵌着された溝部を持ち上げるとともに、凹陥部から取り外し自在とした。
【０００５】
塗布液を分流する溝部は基部に着脱自在に装着されており、必要に応じて基部から溝部を取り外し、溝部に付着した塗布液の固化物を除去することができる。溝部は上部が開口しており、開口からの固化物の除去は容易である。また取り外された溝部全体、特にその内側や複数の排出口の部分を水洗いなどして清掃をすることができる。また排出口における固化物の付着により排出口が塞がれるのを防止する。
【０００６】
また、前記溝部は、基部の底部の凹陥部に着脱自在に嵌着し、前記溝部の底部と基部の底部とを面一に構成した。また、前記溝部は、基部の底部に形成された凹陥部に着脱自在に嵌着し、溝部の底部から連設された爪部を介して前記凹陥部から前記溝部を取り外し可能とした。また、溝部の底部から水平に連設された前記爪部は、前記凹陥部より浅い凹部の支持面に間隙を残して係止される。
【０００７】
前記溝部は基部の底部の凹陥部に着脱可能に嵌着される。すなわち前記溝部を前記凹陥部に装着し、また前記溝部を凹陥部から取り外すことが可能である。前記溝部の底部と基部の底部とを面一であり（ほぼ面一である場合を含む）、前記溝部の底部が前記基部の底部の一部を構成している。また溝部の底部に爪部が水平方向に連設してあり、爪部を、例えば、指先で摘み、あるいは細棒状の先端部（図示せず）で持ち上げ、前記溝部を前記凹陥部から取り外すことができる。前記爪部は前記凹陥部より浅い凹部の支持面に隙間を残して係止してあり、この隙間の存在により爪部の持ち上げ操作は容易である。
【０００８】
また、前記溝部に通じる連通口を有する継手部と、前記継手部を囲繞する外周壁とを備え、前記流管の下端部を前記継手部に装着し、かつ前記流管の下端部を前記外周壁で保護した。また、前記外周壁の上端と前記継手部の上端を同じ高さかあるいは前記外周壁の上端を前記継手部の上端よりやや高くした。
【０００９】
前記継手部に装着された前記流管の下端部が前記継手部を囲繞する外周壁により保護される。前記外周壁は、他の物体などが連結部に接触するのを阻止する。これにより前記流管の損傷が防止され、流管の耐久性が向上する。また、前記外周壁の上端が前記継手部の上端と同じ高さ（ほぼ同じ高さであればよい）かあるいはやや高くし、前記流管、特に可撓性流管の連結部位における折曲を防止する。塗布器具の使用時や移動中などに前記流管に大きな力が加わると、前記流管が折曲することがあるが、前記外周壁による前記流管の保護により、前記流管の折曲を防止し、前記流管中の塗布液の円滑な流動を確保する。なお流管の折曲の防止上、前記外周壁の上端が前記継手部の上端よりやや高めにするのが有効である。前記流管に不要な外力、特に大きな力が加わった場合にも、連結部位における前記流管の折曲を防止する。
【００１０】
【発明の実施の形態】
塗布器具１は、ステイック２と、ワックスなどの塗布液（図示せず）を貯留するタンク３と、タンク３とモップ部５を連通する流管６を具備し、操作片３５の操作により、タンク２に貯留された塗布液が流管６を通り、モップ部５へ流動するように構成されている。モップ部５は基部７に着脱自在に取付けてあり、床面などの被塗布面（図示せず）に当接して塗布液を塗布する。基部７には分離可能な溝部９が着脱自在に嵌着されている。溝部９は両側部１１、前後面部１２、底部１３とからなり、上部１４を開口した横長の箱形であり、底部１３には溝部９内の塗布液が下方側へと分流（流下）する複数の排出口１０が形成してある。底部の複数の排出口１０は底部に長手方向に一定の間隔をおいて配置され、また溝部９の外周面、たとえば、図示の場合は前後面部１２に外側に突出する突片１５が設けてある。
【００１１】
溝部９は基部の凹陥部１６に着脱自在に嵌着される。凹陥部１６は横長の溝部９に対応し横長に凹陥しており、凹陥部１６の幅は溝部９が凹陥部１６に嵌入できるように溝部９の幅（前後面部１２、１２間の長さ）より若干大きくしてある。そこで溝部９を凹陥部１６に押し込み挿入すると、前後面部１２の突片１５が凹陥部１６の内側面１８に圧接され、突片１５を介して溝部９が凹陥部１６に嵌着される。
溝部９が凹陥部１６に嵌着されたとき、溝部の底部１３は基部７の底部１７と面一（ほぼ面一を含む）となり、溝部の底部１３が基部の底部１７の一部を構成する。溝部の底部１３が基部の底部１７の一部を構成しているから、基部の底部１７にモップ部５を装着するのが容易であり、またモップ部５の塗布機能が十分に発揮される。
【００１２】
また溝部は底部１３から爪部１９が連設されており、溝部９が凹陥部１６に嵌着されたとき、爪部１９は凹陥部１６より浅い凹部２０の支持面２１に係止される。この場合、爪部１９は若干の間隙２２を残して支持面２１係止されるから爪部１９を指先（図示せず）あるいは細棒の先端部（図示せず）などで引掛けるようにして持ち上げると、嵌着された溝部９を凹陥部１６から取り外すことができる。またこの間隙２２の存在により爪部１９の持ち上げが容易である。
【００１３】
流管６は、例えば、軟性合成樹脂製のように可撓性があり、また筒状の継手部２５は溝部９への連通口２１を有する。継手部２５は凹陥部１６から突設され、継手部２５に流管の下端部２３を装着し、流管６が基部７に連結される。これにより流管６は基部７に嵌着された溝部９と連通し、塗布液が流管６から溝部１３へと流動する。また継手部２５の外側には継手部を囲繞する外周壁２７が設けてあり、継手部２５に流管の下端部２３を装着した状態では外周壁２７が流管の下端部２３を保護し、塗布器具１の移動時や使用時などに流管の下端部２３を不要な外力や衝撃から保護する。つまり流管の下端部２３の損傷のおそれがない。
【００１４】
外周壁２７は上端３０が継手部の上端２９と同じ高さか、あるいはやや高くするのが好ましい。ここで「同じ高さ」とは「ほぼ同じ高さ」を含み、また外周壁の上端３０が部分的に継手部の上端２９より若干低い場合をも含む。これにより外周壁２７は連結された流管６の装着部分を損傷から有効に保護する。
【００１５】
モップ部６は基部の底部１７に固定された「マジックテープ」（商標））のような装着材３１などを介して基部の底部１７に着脱自在に取り付けられる。溝部の排出口１０から分散して流下する塗布液は基部の底部１７とモップ部５との間に拡散するとともにモップ部５へと浸透し床面などに塗布される。
【００１６】
このように本発明によれば、基部の内部で塗布液が固着したような場合でも、その付着物などを容易に除去し、あるいは容易に清掃することができる。さらに基部に連結された流管を保護し、耐久性に優れるなどの効果がある。また連結部位における流管の過度の折曲を防止し、塗布液の流動を阻害しないなどの効果がある。
【図面の簡単な説明】
【図１】本発明にかかる塗布器具の斜視図である。
【図２】流管を装着した状態の同塗布器具の一部拡大断面図である。
【図３】流管を取り外した状態の同塗布器具の一部拡大断面図である。
【図４】同塗布器具においてモップ部を取り外しかつ溝部を嵌着した状態の基部のを拡大底面である。
【図５】同塗布器具においてモップ部と溝部を取り外た状態の基部のを拡大底面である。
【図６】同塗布器具の溝部の拡大底面図である。
【図７】同溝部の横断面図である。
【図８】同溝部の更に拡大した縦断面図である。
【図９】同塗布器具において溝部と凹陥部との関係示す説明図である。
【符号の説明】
１    塗布器具
２    ステイック
３    タンク
５    モップ部
６    流管
７    基部
９    溝部
１０  排出口
１１  両側部
１２  前後面部
１３  溝部の底部
１４  上部開口
１５  突片
１６  凹陥部
１７  基部の底部
１９  爪部
２０  凹部
２１  支持面
２２  隙間
２３  流管の下端部
２５  継手部
２７  外周壁
２９  継手部の上端
３０  外周壁の上端
３１  装着材
【図１】
0003845791.tif 000002
【図２】
0003845791.tif 000003
【図３】
0003845791.tif 000004
【図４】
0003845791.tif 000005
【図５】
0003845791.tif 000006
【図６】
0003845791.tif 000007
【図７】
0003845791.tif 000008
【図８】
0003845791.tif 000009
【図９】
0003845791.tif 000010